(57)【要約】  ベルトモジュールの選択列の、隣接するベルト列に、磁石を含む磁性材料を有するモジュラー式ラジアスコンベヤベルト。１つのベルト列の磁石が隣接する列の磁石または常磁性材料を引きつけ、搬送される物品を、コンベヤベルト上におけるその好適な位置または向きからふり落とすおそれのある列間の振動を防止する。【選択図】図２
2014507355.tif 000002
【特許請求の範囲】
【請求項１】
ヒンジ結合部において互いにヒンジ式に連結された１つまたは複数のベルトモジュールの一連の列であって、前記列の第１の側縁部から逆側の第２の側縁部まで、ベルトの移動方向に対して横断方向に延在する、１つまたは複数のベルトモジュールの一連の列と、
選択列に配置された磁性材料と、を含み、
前記選択列の少なくともいくつかが磁石列であり、各磁石列の前記磁性材料が、隣接する選択列の前記磁性材料を引きつけるために配置された第１の磁石を含むことを特徴とする、モジュラー式ラジアスコンベヤベルト。
【請求項２】
請求項１に記載のモジュラー式ラジアスコンベヤベルトにおいて、前記列の全てが、磁性材料を有する選択列であることを特徴とするモジュラー式ラジアスコンベヤベルト。
【請求項３】
請求項２に記載のモジュラー式ラジアスコンベヤベルトにおいて、前記列の全ての前記磁性材料が磁石を含むことを特徴とするモジュラー式ラジアスコンベヤベルト。
【請求項４】
請求項１に記載のモジュラー式ラジアスコンベヤベルトにおいて、前記第１の磁石が前記磁石列のそれぞれの前記第１の側縁部に配置されていることを特徴とするモジュラー式ラジアスコンベヤベルト。
【請求項５】
請求項１に記載のモジュラー式ラジアスコンベヤベルトにおいて、前記磁石列のそれぞれの前記第２の側縁部に配置された第２の磁石をさらに含むことを特徴とするモジュラー式ラジアスコンベヤベルト。
【請求項６】
請求項１に記載のモジュラー式ラジアスコンベヤベルトにおいて、前記磁石列のそれぞれが、ベルトの移動方向において前記第１の磁石と整列した第２の磁石をさらに含み、前記第１の磁石および前記第２の磁石が前記磁石列内において互いに面する反対極を有することを特徴とするモジュラー式ラジアスコンベヤベルト。
【請求項７】
請求項１に記載のモジュラー式ラジアスコンベヤベルトにおいて、前記磁石列のそれぞれが、ベルトの移動方向において前記第１の磁石と整列した常磁性材料をさらに含むことを特徴とするモジュラー式ラジアスコンベヤベルト。
【請求項８】
請求項１に記載のモジュラー式ラジアスコンベヤベルトにおいて、前記磁石列以外の前記選択列の前記磁性材料が、隣接する磁石列の前記第１の磁石によって引きつけられる位置に配置された常磁性材料であることを特徴とするモジュラー式ラジアスコンベヤベルト。
【請求項９】
請求項１に記載のモジュラー式ラジアスコンベヤベルトにおいて、前記第１の磁石が、ベルトの前記移動方向に平行する極軸を有することを特徴とするモジュラー式ラジアスコンベヤベルト。
【請求項１０】
第１の側縁部と第２の側縁部との間において、移動方向に対して横断方向に延在する第１のヒンジ軸および第２のヒンジ軸各々を画定する第１のヒンジ端部および逆側の第２のヒンジ端部と、
前記移動方向に平行する極軸を有する第１の磁石と、
を含むことを特徴とするコンベヤベルトモジュール。
【請求項１１】
請求項１０に記載のコンベヤベルトモジュールにおいて、前記第１の磁石の前記極軸と整列した極軸を有する第２の磁石をさらに含み、前記第１の磁石および前記第２の磁石が互いに面する反対極を有することを特徴とするコンベヤベルトモジュール。
【請求項１２】
請求項１０に記載のコンベヤベルトモジュールにおいて、前記第１の磁石が前記第１の側縁部に配置されていることを特徴とするコンベヤベルトモジュール。
【請求項１３】
請求項１０に記載のコンベヤベルトモジュールにおいて、前記第１の磁石が前記第１の側縁部に配置されており、かつ前記第２の側縁部に配置された第２の磁石をさらに含むことを特徴とするコンベヤベルトモジュール。
【請求項１４】
請求項１０に記載のコンベヤベルトモジュールにおいて、前記第１の磁石の前記極軸と整列した常磁性材料をさらに含むことを特徴とするコンベヤベルトモジュール。
【発明の詳細な説明】
【背景技術】
【０００１】
本発明は、全般的に、動力駆動式コンベヤに関し、特に、ベルトモジュールの連続する列の間における振動を防止するための磁石を有するモジュラー式ラジアスコンベヤベルトに関する。
【０００２】
側屈曲またはラジアスコンベヤベルトは、カーブを含む搬送路上において物品を搬送するために使用される。Ｈａｒａｈａｎ，Ｌｏｕｉｓｉａｎａ，Ｕ．Ｓ．Ａ．に所在のＩｎｔｒａｌｏｘ，Ｌ．Ｌ．Ｃ．により製造および販売されているＩＮＴＲＡＬＯＸ（登録商標）Ｓｅｒｉｅｓ  ２６００  ＳＰＩＲＡＬＯＸ（登録商標）１．１  Ｒａｄｉｕｓベルトなどのモジュラー式プラスチックラジアスコンベヤベルトは、相互差込み式（ｉｎｔｅｒｌｅａｖｅｄ）ヒンジフックにおいて端部と端部とで互いに連結され、ヒンジ結合部を形成するベルトモジュールの一連の列で構成されている。ベルトの縁端の、カーブの内側における移動経路が、逆側の縁端の、カーブの外側における移動経路よりも短いため、カーブを通過する際、これらラジアスベルトはカーブの内側において折り畳まれる。全ベルト張力がベルトの外側縁端部を通過するため、外側縁端が完全に広がりピンと張って伸びる一方で、折り畳まれた内側縁端には張力がかからない。ベルト列のピンと張られた外側縁端とは異なり、張力がかかっていない内側縁端はベルトの移動方向に相互に自由に動く。列の内側縁端は内側レールまたはスパイラルコンベヤの駆動タワーの側部を擦るため、それらは継続的にくっつき離れる傾向がある。それらがそうなる際、列の内側縁端はベルトが前進すると互いに衝突する。この衝突が原因でベルト縁端がびびり、ベルトが振動する。これにより、搬送される物品がベルトの上においてそれらの向きを変えるおそれがある。多くの用途では製品の向きは重要である。また、びびりは厄介なものである。
【０００３】
したがって、製品の向きを変えるほど大きく振動しないコンベヤベルトが必要とされている。また、ラジアスベルト及びスパイラルベルトのびびりの低減が必要とされている。
【発明の概要】
【０００４】
これらのニーズ等は本発明の特徴を具体化したモジュラー式コンベヤベルトによって対処される。このようなコンベヤベルトの１つの態様は、列の第１の側縁部から逆側の第２の側縁部まで、ベルトの移動方向に対して横断方向に延在する、ヒンジ結合部において互いにヒンジ式に連結された１つまたは複数のベルトモジュールの一連の列を含む。選択列に磁性材料が配置される。選択列の少なくともいくつかは磁石列であり、各磁石列の磁性材料は、隣接する選択列の磁性材料を引きつけるために配置された第１の磁石を含む。
【０００５】
本発明の別の態様では、コンベヤベルトモジュールは、第１の側縁部と第２の側縁部との間に、移動方向に対して横断方向に延在する第１のヒンジ軸と第２のヒンジ軸とを画定する、第１のヒンジ端部と、逆側の第２のヒンジ端部とを含む。少なくとも１つの磁石は移動方向に平行する極軸を有する。
【図面の簡単な説明】
【０００６】
本発明のこれら態様および特徴ならびにその利点については、以下の説明、添付の特許請求の範囲および添付の図面により詳細に記載される。
【０００７】
【図１】図１は、本発明の特徴を具体化したモジュラー式ラジアスコンベヤベルトの一態様の一部分の底面図である。
【図２】図２は、カーブの内側における図１のコンベヤベルトの１つの縁端の上面図である。
【図３】図３は、カーブの外側における図１のコンベヤベルトの逆側の縁端の上面図である。
【発明を実施するための形態】
【０００８】
本発明の特徴を具体化したモジュラー式プラスチックコンベヤベルトの一部分を図１の底面図に示す。示されるコンベヤベルト１０は、直線の１２および湾曲した１３領域を含む搬送路に追従するラジアスまたは側屈曲ベルトである。ベルトはベルトモジュールの一連の列１４で構成されている。各列は、第１の側縁部１６から第２の側縁部１７までベルトの幅全体にわたり側方に延在し、ベルトの移動方向１８においては、図１においてベルトが左に移動する場合、先端２０から逆側の後端２１まで延在する。（「先」および「後」という記述は、ベルトを特定の移動方向に限定するものではなく、記載する態様例の種々の要素の一般的な空間的関係についての説明を単に補助するものである。）各ベルト列１４は、並列に配置された複数のベルトモジュールで形成されている。この例では、列は、継目２６において分離された、第１の側縁部モジュール２４と第２の側縁部モジュール２５とを含む。より広いベルトを形成するため、ベルト縁端構造なしで形成される内部モジュール（図示せず）が２つの側縁部モジュール間に列で配置されうる。また、図１において各列が２つ以上のベルトモジュールを含んでいても、各列は、両縁端に側縁部構造２８、２９を有する単一モジュールで形成することができる。ベルトを煉瓦積みパターン（ｂｒｉｃｋｌａｙ  ｐａｔｔｅｒｎ）で構成するため、連続する側縁部モジュールが異なる幅に切れている。ベルトモジュールは、例えば、ポリエチレン、ポリプロピレン、アセタール、ナイロンまたは複合樹脂などの熱可塑性ポリマーから射出成形される。
【０００９】
コンベヤベルト１０の各列１４は、先端２０に沿って側方に離間した一組の前側突起物３０’、３０”と、後端２１に沿って側方に離間した一組の後側突起物３１’、３１”と、を有する。前側突起物と後側突起物は、それらを相互に差し込むことができるよう互いに側方にずれている。この例では、突起物３０’、３１’のいくつかは２つの脚３２を有するＡ字形であり、他の突起物３０”、３１”は単一の脚３３を有する。各列の突起物は、隣接するモジュールの相互差込み式突起物またはヒンジフックの整列した穴と共に側方通路を形成する細長いロッド用穴３４、３５を有する。隣接するベルト列をヒンジ結合部３８において互いに連結するため、ヒンジロッド３６が通路内に受容されている。
【００１０】
図１のカーブ１３では、ラジアスコンベヤベルト１０の内側縁端１６はカーブの外側にある縁端１７よりも短い距離を移動する。細長いロッド用穴３４、３５により、外側縁端１７が広がり、全ベルト張力を支持すると、カーブの内側において列の内側縁端１６を折り畳むことが可能になる。列１４の内側縁端１６がカーブにおいて張力を支持しないため、それらは互いに対してある程度の動きの自由を有する。内側縁端が内側レール４０またはスパイラルコンベヤの駆動ドラムの周縁部にある構造と摩擦接触すると、内側縁端のレールに沿った動きを妨げている摩擦を克服するのに十分な力をベルト列全体に生成するほど十分遠くにベルトが前進するまで縁端はレールに対して突き出すことができる。内側縁端１６はベルト張力を全く支持しないため、内側縁端１６は前側ベルト列にぶつかるほど十分に前方に跳躍することができる。図１に、混乱を避けるため２つの列のみにおいて、および図２の拡大上面図の全列において示すように、各ベルト列の内側縁端１６にある各突起物３１’内に永久磁石などの磁石４２が配置されている。（図面ではカーブの内側に最も近い突起物内の磁石を示すが、別法として、磁石を、カーブの内側から列に沿って数突起物離間した１つまたは複数の突起物内に配置することもできる。したがって、用語「縁端」は、外側境界部に厳密に限定されるものではなく、外側境界部から列に沿って内側に延びる、ベルト列に沿う領域を意味するものであり、文言「縁端に」は「縁端領域内」を意味する。）磁石４２は、それら極軸４４がベルトの移動方向１８に平行した状態で、かつ隣接する列の反対極（＋，−）が互いに面し、列間に引力を生成する状態で配置されている。換言すると、磁石は全ての列において同じ様式で面し、列の外側に広がる磁界を生成する。カーブ１３の内側においてベルトの内側縁端１６が折り畳まれるため、隣接する列の磁石間の引力により、張力がかかっていない内側ベルト縁端が共に保持され、内側ベルト縁端間の衝突の数が最少になり、ベルトの振動が低減される。ベルトの振動は、搬送される物品がベルト上におけるそれらの好適な向きまたは位置からはずれる原因となりうる。図３に示すように、振動をさらに低減させるため、またはベルトがカーブを逆方向に通過しなければならない場合に備えて、また、磁石４２をベルトの外側側縁部１７に配置することもできる。重さを低減するため、図３のコンベヤベルトの列のうちの１つの外側側縁部１７に示すように、いずれかの縁端の個々の磁石４２の代わりに、反対極が互いに面する、整列した磁石４６の対を使用することができる。また、前方磁石列および後方磁石列に、１つ置きの列等の選択したベルト列において、磁石４２の代わりに常磁性材料４８、例えば、鉄の片、または磁石４２に引きつけられる他の材料を使用することも可能であろう。常磁性材料または磁石は、また、常磁性粒子または磁性物品を熱可塑性樹脂と混合し、ベルトモジュールの磁石部分を形成するため共に成形されるか、ベルトモジュール上に重ね成形（ｏｖｅｒｍｏｌｄｅｄ）されることによって実現化することができる。さらに、場合によっては、振動を十分に低減するための磁性材料または常磁性材料を全ての列が有している必要はない。したがって、選択列のみが磁性材料を含む。この場合、選択列の全てがそれら磁性材料として磁石を有する（全て磁石列）、選択列のいくつかが磁石を有し、他の選択列がそれら磁性材料として常磁性材料を有する、または選択列の全てが磁性材料と常磁性材料との組み合わせを有する。全ての列が選択列である場合、全ての列は磁性材料を有する、他の場合では、列のいくつかに磁性材料がない。
【００１１】
本発明を例示的な態様を参照して説明したが、他の態様も可能である。例えば、磁石はベルトモジュール内に恒久的に植え込むことも、モジュールに着脱可能に取り付けることもできる。別の例として、各列は、磁石を前縁に、および後列の前縁の磁石によって引きつけられる常磁性材料を後縁に沿って含むことができる。さらに別の例として、永久磁石の代わりに電磁石を使用することもできる。したがって、これらいくつかの実施例が示すように、特許請求の範囲の範囲は例示的な態様の詳細に限定されるものではない。
【図１】
2014507355.tif 000003
【図２】
2014507355.tif 000004
【図３】
2014507355.tif 000005
【国際調査報告】
2014507355.tif 000006